(57)【要約】【課題】施工コストの削減を可能にするプレストレス導入方法及びプレストレス導入構造物を実現する。【解決手段】このプレストレス導入方法によれば、コンクリート構造体Ｃに埋め込まれているねじ節鉄筋１０に緊張力を導入することによって、コンクリート構造体Ｃにプレストレスを導入してなるプレストレス導入構造物１００が得られる。つまり、コンクリート構造体Ｃに補強材として埋め込まれているねじ節鉄筋１０とは別に、プレストレスを導入するためのＰＣ鋼材を配置するなど大掛かりな作業を行うことなく、簡略化した施工による比較的容易な作業で施工コストを抑えてコンクリート構造体Ｃにプレストレスを導入することができる。【選択図】図１
2019138017.tif 000002
【特許請求の範囲】
【請求項１】
表面の節が雄ネジ状に形成されているねじ節鉄筋が内部に配置されるコンクリート構造体にプレストレスを導入するプレストレス導入方法であって、
前記コンクリート構造体の外面から露出する配置にある前記ねじ節鉄筋の端部の雄ネジ部に螺合された緊結ナットを、前記コンクリート構造体の外面を押圧する向きにねじ込んで、前記ねじ節鉄筋に緊張力を導入することによって、前記コンクリート構造体にプレストレスを導入することを特徴とするプレストレス導入方法。
【請求項２】
前記コンクリート構造体にプレストレスを導入した後、前記緊結ナットを前記雄ネジ部から取り外すことを特徴とする請求項１に記載のプレストレス導入方法。
【請求項３】
前記緊結ナットは、前記ねじ節鉄筋の雄ネジ部に螺合される第１ナット部材と、前記第１ナット部材の外周に螺合される第２ナット部材とを有し、
前記第１ナット部材の外周には前記第２ナット部材が螺合する雄ネジが形成され、前記雄ネジは前記ねじ節鉄筋の雄ネジ部よりも小さなピッチに形成されており、
前記第２ナット部材が前記コンクリート構造体の外面を押圧する向きにねじ込まれることを特徴とする請求項１又は２に記載のプレストレス導入方法。
【請求項４】
前記第１ナット部材の雄ネジは、前記ねじ節鉄筋の雄ネジ部とは逆回りに形成された逆ネジであることを特徴とする請求項３に記載のプレストレス導入方法。
【請求項５】
前記ねじ節鉄筋の雄ネジ部に、前記第１ナット部材よりも後に螺合された抜け止めナットが、前記第１ナット部材と接触するまでねじ込まれることを特徴とする請求項３又は４に記載のプレストレス導入方法。
【請求項６】
コンクリート構造体内に配置された、その表面の節が雄ネジ状に形成されているねじ節鉄筋に軸方向への緊張力が導入されて、前記コンクリート構造体にプレストレスが導入されているプレストレス導入構造物であって、
前記コンクリート構造体の外面から露出した配置の前記ねじ節鉄筋の端部の雄ネジ部に螺合された緊結ナットが、前記コンクリート構造体の外面を押圧する向きにねじ込まれたことで、前記ねじ節鉄筋に緊張力が導入されていることを特徴とするプレストレス導入構造物。
【請求項７】
前記緊結ナットは、前記ねじ節鉄筋の雄ネジ部に螺合された第１ナット部材と、前記第１ナット部材の外周に螺合された第２ナット部材とを有し、
前記第１ナット部材の外周には前記第２ナット部材が螺合する雄ネジが形成され、前記雄ネジは前記ねじ節鉄筋の雄ネジ部よりも小さなピッチに形成されており、
前記第２ナット部材が前記コンクリート構造体の外面を押圧する向きにねじ込まれていることを特徴とする請求項６に記載のプレストレス導入構造物。
【発明の詳細な説明】
【技術分野】
【０００１】
本発明は、コンクリート構造体にプレストレスを導入するプレストレス導入方法及びプレストレスが導入されたプレストレス導入構造物に関する。
【背景技術】
【０００２】
従来、コンクリート構造体内に配置されたＰＣ鋼材などの緊張材に軸方向への緊張力を導入し、コンクリート構造体にプレストレスを導入することによって、コンクリート構造体の強度を向上させる技術が知られている。
例えば、ＰＣ桁とするコンクリート構造体の緊張材に緊張力を導入する場合には、緊張荷重や鋼材の伸び量などに応じた精度の高い緊張管理を行なうために専門知識を有する技術者の監視が必要になったり、ジャッキや油圧ポンプ等の装置を用いるために作業現場にバックスペースや電源設備が必要になったりする。このような大掛かりな作業を要するプレストレス導入方法では、施工コストが上昇してしまうという問題があった。
【０００３】
これに対し、緊張材に緊張力を導入する作業を簡略化することができる緊張材緊張装置が提案されている（例えば、特許文献１参照。）。
【先行技術文献】
【特許文献】
【０００４】
【特許文献１】特開平１１−６２２３７号公報
【発明の概要】
【発明が解決しようとする課題】
【０００５】
上記特許文献１の緊張材緊張装置を用いた施工であれば、比較的容易に緊張材に緊張力を導入することができるが、緊張力導入用の専用装置と緊張材を用いているため、依然、施工コストを削減する余地が残っている。
そこで、本発明者らが鋭意検討した結果、土木・建築の分野で一般的に使用されているねじ節鉄筋を緊張材として利用することで、緊張材に緊張力を導入する施工コストを削減することができる技術を見出した。
【０００６】
本発明の目的は、施工コストの削減を可能にするプレストレス導入方法及びプレストレス導入構造物を提供することである。
【課題を解決するための手段】
【０００７】
上記目的を達成するため、本出願に係る一の発明は、
表面の節が雄ネジ状に形成されているねじ節鉄筋が内部に配置されるコンクリート構造体にプレストレスを導入するプレストレス導入方法であって、
前記コンクリート構造体の外面から露出する配置にある前記ねじ節鉄筋の端部の雄ネジ部に螺合された緊結ナットを、前記コンクリート構造体の外面を押圧する向きにねじ込んで、前記ねじ節鉄筋に緊張力を導入することによって、前記コンクリート構造体にプレストレスを導入するようにした。
【０００８】
例えば、プレテンション方式でねじ節鉄筋に緊張力を導入する場合、コンクリートを打設する前の型枠にねじ節鉄筋を貫通させて配置し、そのねじ節鉄筋の両端の雄ネジ部に螺合させた緊結ナットを、型枠を押圧する向きであって、ねじ節鉄筋の長手方向中央側に向けてねじ込んでトルクをかけて、ねじ節鉄筋に緊張力を導入するようにする。この型枠を押圧する向きが、これから形成するコンクリート構造体の外面を押圧する向きに相当する。
また、ポストテンション方式でねじ節鉄筋に緊張力を導入する場合、コンクリート構造体に予め埋め込まれているシース管内にねじ節鉄筋を挿入し、そのねじ節鉄筋の両端の雄ネジ部に螺合させた緊結ナットを、コンクリート構造体を押圧する向きにねじ込んでトルクをかけて、ねじ節鉄筋に緊張力を導入するようにする。
【０００９】
このプレストレス導入方法によれば、コンクリート構造体に埋め込まれるねじ節鉄筋に緊張力を導入することによって、コンクリート構造体にプレストレスを導入してなるプレストレス導入構造物が得られる。
つまり、コンクリート構造体に補強材として埋め込まれているねじ節鉄筋とは別に、プレストレスを導入するためのＰＣ鋼材を配置するなど大掛かりな作業を行うことなく、簡略化した施工による比較的容易な作業で施工コストを抑えてコンクリート構造体にプレストレスを導入することができる。
【００１０】
また、望ましくは、
前記コンクリート構造体にプレストレスを導入した後、前記緊結ナットを前記雄ネジ部から取り外すようにする。
【００１１】
プレストレス導入構造物を構築した後に緊結ナットを取り外すようにすれば、その取り外した緊結ナットを他のプレストレス導入構造物の構築に使用することができるので、さらに施工コストを抑えることができる。
【００１２】
また、望ましくは、
前記緊結ナットは、前記ねじ節鉄筋の雄ネジ部に螺合される第１ナット部材と、前記第１ナット部材の外周に螺合される第２ナット部材とを有し、
前記第１ナット部材の外周には前記第２ナット部材が螺合する雄ネジが形成され、前記雄ネジは前記ねじ節鉄筋の雄ネジ部よりも小さなピッチに形成されており、
前記第２ナット部材が前記コンクリート構造体の外面を押圧する向きにねじ込まれるようにする。
【００１３】
一般的に使用されているねじ節鉄筋の雄ネジ部のピッチは比較的大きいので、その雄ネジ部に緊結ナットを螺合してトルクをかける場合、比較的強めにトルクがかかってねじ節鉄筋にねじり力が発生してしまうことがある。
そこで、ねじ節鉄筋の雄ネジ部よりも小さなピッチに形成されている第１ナット部材の雄ネジに螺合した第２ナット部材をコンクリート構造体の外面を押圧する向きにねじ込むようにすることで、より緩やかにトルクをかけてねじ節鉄筋に緊張力を導入するようにして、ねじ節鉄筋にねじり力が発生しないようにした。
このような第２ナット部材のねじ込みによってトルクをかけるようにすることで、ねじ節鉄筋に緊張力を好適に導入することができ、コンクリート構造体にプレストレスを良好に導入してなるプレストレス導入構造物が得られる。
【００１４】
また、望ましくは、
前記第１ナット部材の雄ネジは、前記ねじ節鉄筋の雄ネジ部とは逆回りに形成された逆ネジであるようにする。
【００１５】
第１ナット部材の雄ネジが、ねじ節鉄筋の雄ネジ部とは逆ネジに形成されていれば、第１ナット部材の雄ネジに螺合した第２ナット部材をコンクリート構造体の外面を押圧する向きにねじ込む際に、ねじ節鉄筋の雄ネジ部に螺合されている第１ナット部材が連れ周りしてしまうことがないので、ねじ節鉄筋に緊張力をより一層好適に導入することができる。
【００１６】
また、望ましくは、
前記ねじ節鉄筋の雄ネジ部に、前記第１ナット部材よりも後に螺合された抜け止めナットが、前記第１ナット部材と接触するまでねじ込まれるようにする。
【００１７】
第１ナット部材と接触するまで抜け止めナットをねじ込んで、第１ナット部材と抜け止めナットとでダブルナットを構成するようにすれば、ダブルナットの抜け止め効果によって、ねじ節鉄筋に緊張力を好適に導入することができる。
【００１８】
また、本出願に係る他の発明は、
コンクリート構造体内に配置された、その表面の節が雄ネジ状に形成されているねじ節鉄筋に軸方向への緊張力が導入されて、前記コンクリート構造体にプレストレスが導入されているプレストレス導入構造物であって、
前記コンクリート構造体の外面から露出した配置の前記ねじ節鉄筋の端部の雄ネジ部に螺合された緊結ナットが、前記コンクリート構造体の外面を押圧する向きにねじ込まれたことで、前記ねじ節鉄筋に緊張力が導入されているようにした。
【００１９】
コンクリート構造体に埋め込まれているねじ節鉄筋に緊張力を導入することによって、コンクリート構造体にプレストレスを導入してなるプレストレス導入構造物が得られる。
つまり、コンクリート構造体に補強材として埋め込まれているねじ節鉄筋とは別に、プレストレスを導入するためのＰＣ鋼材を別途配置したり緊張装置を配置したりするなどの大掛かりな作業を行うことなく、簡略化した施工による比較的容易な作業で施工コストを抑えてコンクリート構造体にプレストレスを導入することができる。
【００２０】
また、望ましくは、
前記緊結ナットは、前記ねじ節鉄筋の雄ネジ部に螺合された第１ナット部材と、前記第１ナット部材の外周に螺合された第２ナット部材とを有し、
前記第１ナット部材の外周には前記第２ナット部材が螺合する雄ネジが形成され、前記雄ネジは前記ねじ節鉄筋の雄ネジ部よりも小さなピッチに形成されており、
前記第２ナット部材が前記コンクリート構造体の外面を押圧する向きにねじ込まれているようにする。
【００２１】
一般的なねじ節鉄筋の雄ネジ部のピッチは比較的大きいので、その雄ネジ部に緊結ナットを螺合してトルクをかける場合、比較的強めにトルクがかかってねじ節鉄筋にねじり力が発生してしまうことがある。
そこで、ねじ節鉄筋の雄ネジ部よりも小さなピッチに形成されている第１ナット部材の雄ネジに螺合した第２ナット部材をコンクリート構造体の外面を押圧する向きにねじ込むようにすることで、より緩やかにトルクをかけてねじ節鉄筋に緊張力を導入することを可能にした。
こうすることで、好適にねじ節鉄筋に緊張力を導入することができ、コンクリート構造体にプレストレスを良好に導入してなるプレストレス導入構造物が得られる。
【発明の効果】
【００２２】
本発明によれば、施工コストの削減を可能にするプレストレス導入方法及びプレストレス導入構造物が得られる。
【図面の簡単な説明】
【００２３】
【図１】コンクリート構造体にプレストレスを導入してなるプレストレス導入構造物の一例を示す斜視図である。
【図２】ねじ節鉄筋に緊張力を導入する緊結ナットに関する説明図である。
【図３】コンクリート構造体にプレストレスを導入してなるプレストレス導入構造物の一例を示す斜視図である。
【図４】ねじ節鉄筋に緊張力を導入する緊結ナットに関する説明図である。
【図５】ねじ節鉄筋に緊張力を導入する緊結ナットに関する説明図である。
【発明を実施するための形態】
【００２４】
以下、図面を参照して、本発明に係るプレストレス導入方法及びプレストレス導入構造物の実施形態について詳細に説明する。但し、以下に述べる実施形態には、本発明を実施するために技術的に好ましい種々の限定が付されているが、本発明の範囲を以下の実施形態及び図示例に限定するものではない。
【００２５】
本実施形態では、鉄筋コンクリート構造体の鉄筋（補強材）にねじ節鉄筋を用い、そのねじ節鉄筋に螺合した緊結ナットによってねじ節鉄筋に緊張力を導入し、コンクリート構造体にプレストレスを導入している。ねじ節鉄筋は、表面の節が雄ネジ状に形成されている汎用性のある周知の鉄筋である。
例えば、図１に示すプレストレス導入構造物１００は、コンクリート構造体Ｃに配設された１０本のねじ節鉄筋１０に緊張力を導入して、そのコンクリート構造体Ｃにプレストレスを導入したものである。
なお、本実施形態のプレストレス導入方法及びプレストレス導入構造物は、予め型枠に組み付けたねじ節鉄筋に緊張力を導入した後、その型枠にコンクリートを打設するプレテンション方式と、予めコンクリート構造体に埋め込んだシース管内にねじ節鉄筋を挿入し、そのねじ節鉄筋に緊張力を導入するポストテンション方式のいずれにも適用可能である。
【００２６】
例えば、プレテンション方式の場合、堅固な型枠にねじ節鉄筋１０を貫通させて配置し、そのねじ節鉄筋１０の両端の雄ネジ部１１に螺合させた緊結ナット２０を、型枠を押圧する向きにねじ込んでトルクをかけて、ねじ節鉄筋１０に緊張力を導入する。なお、型枠を押圧する向きが、これから形成するコンクリート構造体Ｃの外面を押圧する向きに相当する。
ねじ節鉄筋１０に緊張力を導入した後、その型枠にコンクリートを打設し養生する。
打設したコンクリートが硬化した後に、緊結ナット２０によるトルクを解放することで、コンクリート構造体Ｃにプレストレスを導入し、プレストレス導入構造物１００が得られる。
【００２７】
また、ポストテンション方式の場合、コンクリート構造体Ｃに予め埋め込まれているシース管内にねじ節鉄筋１０を挿入し、そのねじ節鉄筋１０の両端の雄ネジ部１１に螺合させた緊結ナット２０を、コンクリート構造体Ｃを押圧する向きにねじ込んでトルクをかけて、ねじ節鉄筋１０に緊張力を導入する。
ねじ節鉄筋１０に緊張力を導入した後、シース管内にグラウトを充填する。
そのグラウトが硬化した後に、緊結ナット２０によるトルクを解放することで、コンクリート構造体Ｃにプレストレスを導入し、プレストレス導入構造物１００が得られる。
【００２８】
なお、プレテンション方式であってもポストテンション方式であっても、ねじ節鉄筋１０の端部の雄ネジ部１１に螺合させた緊結ナット２０を、ねじ節鉄筋１０の長手方向中央側に向けてねじ込んでトルクをかけて、ねじ節鉄筋１０に緊張力を導入するようにする。
【００２９】
プレストレス導入構造物１００は、例えば、図１、図２に示すように、コンクリート構造体Ｃに埋め込まれているねじ節鉄筋１０と、そのコンクリート構造体Ｃの外面から露出しているねじ節鉄筋１０に螺合された緊結ナット２０と、緊結ナット２０とコンクリート構造体Ｃの間に配設されている支圧板３０等を備えて構成されている。
このプレストレス導入構造物１００は、コンクリート構造体Ｃの外面から露出した配置のねじ節鉄筋１０の端部の雄ネジ部１１に螺合された緊結ナット２０が、コンクリート構造体Ｃの外面を押圧する向きにねじ込まれたことでねじ節鉄筋１０に緊張力が導入されて、コンクリート構造体Ｃにプレストレスが導入されてなる構造物である。
【００３０】
例えば、プレストレス導入構造物１００の一方の端面側から露出するねじ節鉄筋１０の端部の雄ネジ部１１に螺合した緊結ナット２０にはトルクをかけずに固定状態とし、プレストレス導入構造物１００の他方の端面側から露出するねじ節鉄筋１０の端部の雄ネジ部１１に螺合した緊結ナット２０をねじ込んでトルクをかけた場合、５０［Ｎ・ｍ］のトルクで１０［ｋＮ］の緊張力をねじ節鉄筋１０に導入でき、１００［Ｎ・ｍ］のトルクで２０［ｋＮ］の緊張力をねじ節鉄筋１０に導入でき、１５０［Ｎ・ｍ］のトルクで３０［ｋＮ］の緊張力をねじ節鉄筋１０に導入できる。
なお、緊結ナット２０をねじ込んでトルクをかける作業には、周知のトルクレンチやインパクトレンチを用いることができる。
【００３１】
このように、本実施形態のプレストレス導入方法であれば、コンクリート構造体Ｃに埋め込まれているねじ節鉄筋１０に緊張力を導入することによって、コンクリート構造体Ｃにプレストレスを導入してなるプレストレス導入構造物１００が得られる。
つまり、本実施形態のプレストレス導入方法及びプレストレス導入構造物であれば、コンクリート構造体Ｃに埋め込まれている鉄筋とは別に、プレストレスを導入するためのＰＣ鋼材を配置するなど大掛かりな作業を行うことなく、簡略化した施工による比較的容易な作業で施工コストを抑えてコンクリート構造体Ｃにプレストレスを導入することができる。
特に、コンクリート構造体Ｃにプレストレスを導入するのに、コンクリート構造体Ｃに埋め込まれるねじ節鉄筋１０に螺合された緊結ナット２０を周知の工具でねじ込むだけでよく、専用工具は不要であるので、施工の簡略化と同様に施工コストを抑えることができる。
以上のように、本実施形態のプレストレス導入方法及びプレストレス導入構造物であれば、従来技術よりも施工コストを削減することができる。
【００３２】
なお、図１に示すプレストレス導入構造物１００に配設されている１０本のねじ節鉄筋１０の全てに緊張力を導入することに限らず、任意のねじ節鉄筋１０に緊張力を導入するようにしてもよい。
緊張力を導入するねじ節鉄筋１０の数を調整することで、コンクリート構造体Ｃに導入するプレストレスを調整して、プレストレス導入構造物１００の用途などに応じた強度調整が可能になる。
【００３３】
また、コンクリート構造体Ｃにプレストレスを導入してプレストレス導入構造物１００を構築した後、ねじ節鉄筋１０に緊結ナット２０を螺合したままでも、ねじ節鉄筋１０から緊結ナット２０を取り外してもよい。
プレストレス導入構造物１００を構築した後に緊結ナット２０を取り外すようにすれば、その取り外した緊結ナット２０を他のプレストレス導入構造物１００の構築に使用することができるので、さらに施工コストを抑えることができる。
【００３４】
また、図１に示したプレストレス導入構造物１００では、コンクリート構造体Ｃにおける平坦な外面に露出しているねじ節鉄筋１０の端部の雄ネジ部１１に緊結ナット２０を螺合してプレストレスが導入されているが、例えば、図３に示すように、あと埋め用の凹部が設けられたコンクリート構造体Ｃにおいて、その凹部内での外面に露出しているねじ節鉄筋１０の端部の雄ネジ部１１に緊結ナット２０を螺合してプレストレスを導入したプレストレス導入構造物１００であってもよい。
このようなプレストレス導入構造物１００であれば、その凹部にあと埋めコンクリートを充填して、ねじ節鉄筋１０端部の雄ネジ部１１や緊結ナット２０を埋め込むことができる。
【００３５】
なお、本発明は上記実施形態に限られるものではない。
例えば、図４に示すように、緊結ナット２０は、ねじ節鉄筋１０の雄ネジ部１１に螺合された第１ナット部材２１と、第１ナット部材２１の外周に螺合された第２ナット部材２２とを有しており、第２ナット部材２２がコンクリート構造体Ｃの外面を押圧する向きにねじ込まれた構成であってもよい。
特に、第１ナット部材２１の外周には第２ナット部材２２が螺合する雄ネジ２１ａが形成されており、その雄ネジ２１ａは、ねじ節鉄筋１０の雄ネジ部１１よりも小さなピッチに形成されているものとする。
【００３６】
ねじ節鉄筋１０の雄ネジ部１１のピッチは比較的大きく、そのネジ山の角度が比較的大きいので、前述した緊結ナット２０を雄ネジ部１１に螺合してトルクをかける場合、比較的強めにトルクがかかってねじ節鉄筋１０にねじり力が発生してしまうことがある。
そのため、トルクを多く入れようと必要以上に緊結ナット２０をねじ込んだ場合に、設計位置からねじ節鉄筋１０がねじれてずれてしまい、ねじ節鉄筋１０を固定するように設置した結束線や番線が外れるなどの不具合が生じることがあった。
【００３７】
そこで、ねじ節鉄筋１０の雄ネジ部１１よりも小さなピッチで、ネジ山の角度を小さく形成した第１ナット部材２１の雄ネジ２１ａに螺合した第２ナット部材２２をコンクリート構造体Ｃの外面を押圧する向きにねじ込むようにすることで、より緩やかにトルクをかけてねじ節鉄筋１０に緊張力を導入することを可能にし、ねじ節鉄筋１０がねじれてしまわないようにした。
このような第２ナット部材２２のねじ込みによってトルクをかけるようにすることで、ねじ節鉄筋１０に緊張力を好適に導入することができ、コンクリート構造体Ｃにプレストレスを良好に導入してなるプレストレス導入構造物１００が得られるようになる。
【００３８】
なお、第２ナット部材２２のねじ込みによってトルクをかける場合、予めねじ節鉄筋１０の雄ネジ部１１に螺合した第１ナット部材２１に第２ナット部材２２を螺合するようにしてトルクをかけても、予め第２ナット部材２２を第１ナット部材２１に螺合しておき、第２ナット部材２２と一体とされた第１ナット部材２１をねじ節鉄筋１０の雄ネジ部１１に螺合した後に第２ナット部材２２をねじ込んでトルクをかけるようにしてもよい。
【００３９】
特に、第１ナット部材２１の雄ネジ２１ａは、ねじ節鉄筋１０の雄ネジ部１１とは逆回りに形成された逆ネジであることが好ましい。例えば、ねじ節鉄筋１０の雄ネジ部１１が右ねじであるとき、第１ナット部材２１の雄ネジ２１ａは左ねじに形成されている。
こうすることで、第１ナット部材２１の雄ネジ２１ａに螺合した第２ナット部材２２をコンクリート構造体Ｃの外面を押圧する向きにねじ込む際に、ねじ節鉄筋１０の雄ネジ部１１に螺合されている第１ナット部材２１が連れ周りしてしまうことがないので、ねじ節鉄筋１０に緊張力をより一層好適に導入することができる。
【００４０】
また、本発明は上記実施形態に限られるものではない。
例えば、図５に示すように、ねじ節鉄筋１０の雄ネジ部１１には、第１ナット部材２１よりも後に螺合されて、第１ナット部材２１と接触するまでねじ込まれた抜け止めナット２３が配設されていてもよい。
このような抜け止めナット２３を配設して、第１ナット部材２１と抜け止めナット２３とでダブルナットを構成するようにすれば、ダブルナットの抜け止め効果によって、ねじ節鉄筋１０に緊張力を好適に導入することができる。
【００４１】
なお、図示はしないが、ねじ節鉄筋１０の雄ネジ部１１に螺合された緊結ナット２０（図２参照）よりも後に螺合されて、緊結ナット２０と接触するまでねじ込まれた抜け止めナット２３を配設するようにしてもよい。
【００４２】
また、以上の実施の形態においては、１０本のねじ節鉄筋１０が配設されているプレストレス導入構造物１００（図１参照）や、４本のねじ節鉄筋１０が配設されているプレストレス導入構造物１００（図３参照）を図示して説明したが、本発明はこれに限定されるものではなく、ねじ節鉄筋１０の数は任意であり、コンクリート構造体Ｃの大きさなどに応じて適宜設定すればよい。
【００４３】
また、その他、具体的な細部構造等についても適宜に変更可能であることは勿論である。
【符号の説明】
【００４４】
１０    ねじ節鉄筋
１１    雄ネジ部
２０    緊結ナット
２１    第１ナット部材
２１ａ  雄ネジ
２２    第２ナット部材
２３    抜け止めナット
１００  プレストレス導入構造物
Ｃ      コンクリート構造体
【図１】
2019138017.tif 000003
【図２】
2019138017.tif 000004
【図３】
2019138017.tif 000005
【図４】
2019138017.tif 000006
【図５】
2019138017.tif 000007